(57)【要約】【課題】加湿空気を居室空間に給気するために設けてある送風ファンを、夏季においても活用できるようにする。【解決手段】居室空間Ａの温度を調節可能な空調装置を設けてあると共に、居室空間用の空気を加湿するための加湿部４を備えた加湿装置５と、加湿装置を通過した空気を居室空間に給気するための送風ファン９とを設けてある空調設備であって、廊下空間用の空気を冷却可能な空気調和機１２を加湿装置に設けて、加湿装置の運転状態を、加湿部で加湿した空気を送風ファンで居室空間に給気する加湿運転状態と、空気調和機で冷却された空気を送風ファンで廊下空間１に給気する冷房運転状態とに切り換え自在に設けてある。【選択図】図２
2009008336.tif 000002
【特許請求の範囲】
【請求項１】
居室空間の温度を調節可能な空調装置を設けてあると共に、
居室空間用の空気を加湿するための加湿部を備えた加湿装置と、前記加湿装置を通過した空気を前記居室空間に給気するための送風ファンとを設けてある空調設備であって、
廊下空間用の空気を冷却可能な空気調和機を前記加湿装置に設けて、
前記加湿装置の運転状態を、
前記加湿部で加湿した空気を前記送風ファンで前記居室空間に給気する加湿運転状態と、前記空気調和機で冷却された空気を前記送風ファンで前記廊下空間に給気する冷房運転状態とに切り換え自在に設けてある空調設備。
【請求項２】
前記空気調和機は、前記加湿部よりも空気通過方向の上流側に設けてあり、かつ、廊下空間用の空気を冷却する冷房モードと、居室空間用の空気を加熱する暖房モードとに切り換え自在に設けてある請求項１記載の空調設備。
【請求項３】
請求項１記載の空調設備の運転方法であって、
夏季において、前記冷房運転状態で前記加湿装置を運転し、
冬季において、前記加湿運転状態で前記加湿装置を運転する空調設備の運転方法。
【請求項４】
請求項２記載の空調設備の運転方法であって、
夏季において、前記空気調和機を前記冷房モードに切り換えて、前記冷房運転状態で前記加湿装置を運転し、
冬季において、前記空気調和機を前記暖房モードに切り換えて、前記空気調和機で加熱された空気を前記加湿部で加湿する加湿運転状態で前記加湿装置を運転する空調設備の運転方法。
【発明の詳細な説明】
【技術分野】
【０００１】
本発明は、居室空間の温度を調節可能な空調装置を設けてあると共に、居室空間用の空気を加湿するための加湿部を備えた加湿装置と、前記加湿装置を通過した空気を前記居室空間に給気するための送風ファンとを設けてある空調設備とその運転方法に関する。
【背景技術】
【０００２】
上記空調設備は、居室空間の温度を調節可能な空調装置に加えて、冬季において空気が乾燥し易い点を考慮して、居室空間用の空気を加湿するための加湿部を備えた加湿装置と、加湿装置を通過した空気を居室空間に給気するための送風ファンとを設けてあり、一般に、前記加湿装置を居室空間への給気路に設けてある（例えば、特許文献１参照）。
【０００３】
【特許文献１】特開平１−３１８８２３号公報（第１図）
【発明の開示】
【発明が解決しようとする課題】
【０００４】
このため、居室空間用の空気を加湿する必要がない夏季には、加湿空気を居室空間に給気するために設けてある送風ファンを活用できない欠点がある。
本発明は上記実情に鑑みてなされたものであって、加湿空気を居室空間に給気するために設けてある送風ファンを、夏季においても活用できるようにすることを目的とする。
【課題を解決するための手段】
【０００５】
本発明の第１特徴構成は、居室空間の温度を調節可能な空調装置を設けてあると共に、居室空間用の空気を加湿するための加湿部を備えた加湿装置と、前記加湿装置を通過した空気を前記居室空間に給気するための送風ファンとを設けてある空調設備であって、廊下空間用の空気を冷却可能な空気調和機を前記加湿装置に設けて、前記加湿装置の運転状態を、前記加湿部で加湿した空気を前記送風ファンで前記居室空間に給気する加湿運転状態と、前記空気調和機で冷却された空気を前記送風ファンで前記廊下空間に給気する冷房運転状態とに切り換え自在に設けてある点にある。
【０００６】
〔作用及び効果〕
廊下空間用の空気は冬季において特に加湿する必要が無いが、夏季においては冷却する必要がある点に着目し、廊下空間用の空気を冷却可能な空気調和機を加湿装置に設けて、加湿装置の運転状態を、加湿部で加湿した空気を送風ファンで居室空間に給気する加湿運転状態と、空気調和機で冷却された空気を送風ファンで廊下空間に給気する冷房運転状態とに切り換え自在に設けてあるので、夏季には、加湿装置の運転状態を冷房運転状態に切り換えて、空気調和機で冷却された空気を送風ファンで廊下空間に給気することができ、冬季には、加湿装置の運転状態を加湿運転状態に切り換えて、従来と同様に、加湿部で加湿した空気を送風ファンで居室空間に給気することができる。
従って、加湿空気を居室空間に給気するために設けてある送風ファンを、夏季においても活用できる。
【０００７】
本発明の第２特徴構成は、前記空気調和機は、前記加湿部よりも空気通過方向の上流側に設けてあり、かつ、廊下空間用の空気を冷却する冷房モードと、居室空間用の空気を加熱する暖房モードとに切り換え自在に設けてある点にある。
【０００８】
〔作用及び効果〕
廊下空間用の空気を冷却する冷房モードと、居室空間用の空気を加熱する暖房モードとに切り換え自在な空気調和機を加湿装置に設けてあるので、夏季には、空気調和機を冷房モードに切り換えて、加湿装置を冷房運転状態で運転することができ、冬季には、必要に応じて空気調和機を暖房モードに切り換えて、加湿装置を加湿運転状態で運転することにより、居室空間用の空気を加熱・加湿して居室空間に給気することができる。
また、空気調和機は、加湿部よりも空気通過方向の上流側に設けてあるので、空気調和機で加熱された後の、水分が蒸発し易くなっている居室空間用の空気を加湿部で効率良く加湿することができる。
【０００９】
本発明の第３特徴構成は、請求項１記載の空調設備の運転方法であって、夏季において、前記冷房運転状態で前記加湿装置を運転し、冬季において、前記加湿運転状態で前記加湿装置を運転する点にある。
【００１０】
〔作用及び効果〕
夏季において、冷房運転状態で加湿装置を運転し、冬季において、加湿運転状態で加湿装置を運転するので、夏季には、空気調和機で冷却された空気を送風ファンで廊下空間に給気することができ、冬季には、従来と同様に、加湿部で加湿した空気を送風ファンで居室空間に給気することができる。
【００１１】
本発明の第４特徴構成は、請求項２記載の空調設備の運転方法であって、夏季において、前記空気調和機を前記冷房モードに切り換えて、前記冷房運転状態で前記加湿装置を運転し、冬季において、前記空気調和機を前記暖房モードに切り換えて、前記空気調和機で加熱された空気を前記加湿部で加湿する加湿運転状態で前記加湿装置を運転する点にある。
【００１２】
〔作用及び効果〕
夏季において、空気調和機を冷房モードに切り換えて、冷房運転状態で加湿装置を運転し、冬季において、空気調和機を暖房モードに切り換えて、空気調和機で加熱された空気を加湿部で加湿する加湿運転状態で加湿装置を運転するので、夏季には、空気調和機で冷却された空気を送風ファンで廊下空間に給気して冷房することができ、冬季には、居室空間用の空気を加熱・加湿して居室空間に給気して適度な湿度で暖房することができる。
また、空気調和機は、加湿部よりも空気通過方向の上流側に設けてあるので、冬季には、空気調和機で加熱された後の、水分が蒸発し易くなっている居室空間用の空気を加湿部で効率良く加湿することができる。
【発明を実施するための最良の形態】
【００１３】
以下に本発明の実施の形態を図面に基づいて説明する。
〔第１実施形態〕
図１，図２は、本発明による空調設備を設けてあるビルの内部を示し、執務室などの居室空間Ａと非居室空間Ｂとに区画し、非居室空間Ｂは内部廊下空間１やエレベータホール２などに仕切ってある。
【００１４】
前記空調設備は、居室空間Ａの温度を調節可能なヒートポンプパッケージやファンコイルユニットなどの空調装置３と、居室空間Ａ用の空気を加湿する気化式加湿部４を備えた加湿装置５とを上層階の床スラブ６と天井パネル７との間の天井裏空間８に設置してあり、加湿装置５を通過した空気を居室空間Ａに給気するための送風ファンとしての給気ファン９を設けてある。
【００１５】
前記天井裏空間８は、居室空間Ａの天井パネル７（７ａ）に空気流入部１０を設けて、居室空間Ａの空気を空調装置３や加湿装置５に還気する還気路に構成して、給気ファン９の駆動で天井裏空間８が負圧になることによって、還気用の空気が空気流入部１０から流入するように設けてある。
また、廊下空間１の空気を天井裏空間８に流入させるためのパスダクト１１を設けてある。
尚、図示しないが、外気処理空調機や全熱交換器などを備えた給排気システムも設けてある。
【００１６】
前記空調装置３は、天井裏空間８の空気を居室空間Ａ用の空気として温度調節して、図示しない天井吹き出し部から居室空間Ａに吹き出すように設けてある。
【００１７】
前記加湿装置５は、加湿部４に加えて、冷温水コイルなどの熱交換器を設けてある空気調和機１２を設けて構成してあり、加湿装置５を通過した空気を、天井パネル７に設けてある吹き出し部１３，１４から居室空間Ａ又は廊下空間１に給気するための給気ダクト１５を設けてある。
【００１８】
前記空気調和機１２は、加湿部４よりも空気通過方向の上流側に設けてあり、かつ、天井裏空間８の空気を廊下空間１用の空気として冷却する冷房モードと、天井裏空間８の空気を居室空間Ａ用の空気として加熱する暖房モードとに切り換え自在に設けてある。
【００１９】
前記給気ダクト１５は、居室側吹き出し部１３から居室空間Ａに給気するための第１給気ダクト１６と、廊下側吹き出し部１４から廊下空間１に給気するための第２給気ダクト１８とを設けると共に、第１給気ダクト１６の途中に、給気先を居室空間Ａ又は廊下空間１に択一的に切り換えるための給気用切換ダンパー１７を介して、第２給気ダクト１８を接続して設けてあり、加湿部４と給気用切換ダンパー１７との間の第１給気ダクト部分に給気ファン９を設けてある。
【００２０】
そして、加湿装置５は、加湿部４で加湿した空気を給気ファン９で居室空間Ａに給気する加湿運転状態と、空気調和機１２で冷却された空気を給気ファン９で廊下空間１に給気する冷房運転状態とに切り換え自在に設けてある。
【００２１】
つまり、夏季においては、空気調和機１２を冷房モードに切り換え、かつ、給気先が廊下空間１になるように給気用切換ダンパー１７を切り換えて、図２（イ）に示すように、空気調和機１２で冷却された空気を給気ファン９で廊下空間１に給気する冷房運転状態で加湿装置５を運転する。
【００２２】
前記冷房運転状態での運転時には、空気調和機１２で冷却された空気を加湿部４で加湿せずに廊下空間１に給気するが、空気調和機１２で冷却された空気を加湿部４で加湿して廊下空間１に給気しても良い。
【００２３】
また、冬季においては、給気先が居室空間Ａになるように給気用切換ダンパー１７を切り換えて、図２（ロ）に示すように、加湿部４で加湿された空気を給気ファン９で居室空間Ａに給気する加湿運転状態で加湿装置５を運転する。
【００２４】
前記加湿運転状態での運転時には、空気調和機１２の運転を停止して、加熱も冷却もしていない空気を加湿部４で加湿して居室空間Ａに給気するが、暖房モードに切り換えた空気調和機１２で加熱された空気を加湿部４で加湿して居室空間Ａに給気しても良い。
【００２５】
〔第２実施形態〕
図３は、本発明による空調設備の別実施形態を示し、冷温水コイルなどの熱交換器１９を設けてある空気調和機１２と加湿エレメント２０を設けてある加湿部４とを備えた加湿装置５を廊下空間１の上部に設置し、加湿装置５に還気するための還気ダクト２１と、加湿装置５を通過した空気を給気するための給気ダクト１５とを設けてある。
【００２６】
前記還気ダクト２１は、居室空間Ａの空気を居室側空気流入部２２から流入させて加湿装置５に還気するための第１還気ダクト２３と、廊下空間１の空気を廊下側空気流入部２４から流入させて加湿装置６に還気するための第２還気ダクト２５とを設けると共に、第１還気ダクト２３の途中に、居室側空気流入部２２からの空気を還気する状態と廊下側空気流入部２４からの空気を還気する状態とに択一的に切り換えるための還気用切換ダンパー２６を介して、第２還気ダクト２５を接続して設けてあり、給気ファン９の駆動で還気ダクト２１内が負圧になることによって、還気用の空気が居室空間Ａ又は廊下空間１から流入するように設けてある。
【００２７】
そして、夏季においては、空気調和機１２を冷房モードに切り換え、かつ、廊下空間１の空気を空気調和機１２に還気する状態に還気用切換ダンパー２６を切り換え、かつ、給気先が廊下空間１になるように給気用切換ダンパー１７を切り換えて、空気調和機１２で冷却された空気を給気ファン９で廊下空間１に給気する冷房運転状態で加湿装置５を運転する。
【００２８】
また、冬季においては、居室空間Ａの空気を空気調和機１２に還気する状態に還気用切換ダンパー２６を切り換え、かつ、給気先が居室空間Ａになるように給気用切換ダンパー１７を切り換えて、加湿部４で加湿された空気を給気ファン９で居室空間Ａに給気する加湿運転状態で加湿装置５を運転する。
その他の構成は第１実施形態と同様である。
【００２９】
〔その他の実施形態〕
１．本発明による空調設備は、還気空気を加湿装置に還気するための還気ファンを、加湿装置を通過した空気を居室空間又は廊下空間に給気するための送風ファンに兼用して設けてあっても良い。
【図面の簡単な説明】
【００３０】
【図１】本発明による空調設備を設けてあるビルの内部を示す平面図
【図２】要部の概略縦断面図
【図３】第２実施形態を示す要部の平面図
【符号の説明】
【００３１】
Ａ  居室空間
１  廊下空間
３  空調装置
４  加湿部
５  加湿装置
９  送風ファン
１２  空気調和機
【図１】
2009008336.tif 000003
【図２】
2009008336.tif 000004
【図３】
2009008336.tif 000005